(57)【要約】【課題】  農家において播種作業前に、アクリルアミド重合体と培土基材を混合する必要がなく、省力化が図れ、更に、農家に起因する混合のばらつきがなくなるようにする。【解決手段】  本発明の機械移植用固化培土は、培土製造時にアクリルアミド重合体と腐植質火山灰土を混合してなっている。前記アクリルアミド重合体は、分子量５００万未満である態様を例示する。前記培土における前記アクリルアミド重合体の含有率は、０．５〜１．５重量％である態様を例示する。前記培土における前記腐植質火山灰土の含有率は、３０〜６０重量％である態様を例示する。【選択図】なし【特許請求の範囲】
【請求項１】
培土製造時にアクリルアミド重合体と腐植質火山灰土を混合してなる機械移植用固化培土。
【請求項２】
前記アクリルアミド重合体は、分子量５００万未満のものである請求項１記載の機械移植用固化培土。
【請求項３】
前記培土における前記アクリルアミド重合体の含有率は、０．５〜１．５重量％である請求項１又は２記載の機械移植用固化培土。
【請求項４】
前記培土における前記腐植質火山灰土の含有率は、３０〜６０重量％である請求項１〜３のいずれか一項に記載の機械移植用固化培土。
【発明の詳細な説明】
【技術分野】
【０００１】
本発明は、機械を用いた移植に耐え得るようにした機械移植用固化培土に関するものである。
【背景技術】
【０００２】
第一の従来技術としては、特許文献１に記載された育苗用培土を例示する。この培土は、アニオン化度が１０〜７０モル％であるアクリルアミドとアクリル酸（塩）の共重合体を土壌に混合して該土壌にゴム状の弾性を付与するようにしている。
【０００３】
第二の従来技術としては、特許文献２に記載された土付き苗用の培土を例示する。この培土は、スメクタイト、複鎖型粘土鉱物、カオリン鉱物、ゼオライトからなる群から選択される少なくとも１つの鉱物を主成分とする粉体と、アクリルアミドを主成分とする重合体と、培土基材とを含んでいる。
【０００４】
第三の従来技術としては、特許文献３に記載された育苗用培土を例示する。この培土は、培土に、スルホン酸塩含有アクリル系単量体１〜２０モル％、モノカルボン酸塩含有アクリル系単量体６〜１２モル％およびアクリルアミドの共重合体であって分子量１０００万以上の水溶性三元共重合体の０．１５〜５重量％を混合してなっている。
【先行技術文献】
【特許文献】
【０００５】
【特許文献１】特開平３−２１０１２４号公報
【特許文献２】特開２０１１−２００２２２号公報
【特許文献３】特許第２８７６００２号公報
【発明の概要】
【発明が解決しようとする課題】
【０００６】
ところが、特許文献１に記載された培土においては、播種作業の直前に、ミキサーを使用して培土とアクリルアミドとアクリル酸（塩）の共重合体を加水混合する作業を伴う。ただ、加水混合作業は、一連の播種作業を行う上では、手間となっていた。
【０００７】
また、特許文献２に記載された培土のようにアクリルアミド重合体の固化剤を用いたり、特許文献３に記載された培土のようにアクリルアミド共重合体（水溶性三元共重合体）の固化剤を用いたりしている培土の場合、移植後すぐに雨が降らなくても苗が枯れないように根鉢部に十分水を含んだ状態にすると、機械移植に耐え得る強度が不足し、根鉢部が崩れやすくなるという課題がある。
【課題を解決するための手段】
【０００８】
前記課題を解決するために、本発明の機械移植用固化培土は、
培土製造時にアクリルアミド重合体と腐植質火山灰土を混合してなっている。
【０００９】
前記機械移植用固化培土としては、
前記アクリルアミド重合体は、分子量５００万未満のものである態様を例示する。
【００１０】
前記機械移植用固化培土としては、
前記培土における前記アクリルアミド重合体の含有率は、０．５〜１．５重量％である態様を例示する。
【００１１】
前記機械移植用固化培土としては、
前記培土における前記腐植質火山灰土の含有率は、３０〜６０重量％である態様を例示する。
【発明の効果】
【００１２】
本発明に係る機械移植用固化培土によれば、農家において播種作業前に、アクリルアミド重合体と培土基材を混合する必要がなく、省力化が図れ、更に、農家に起因する混合のばらつきがなくなるという優れた効果を奏する。
【発明を実施するための形態】
【００１３】
本発明を具体化した実施形態の機械移植用固化培土は、培土製造時にアクリルアミド重合体と腐植質火山灰土を混合してなっている。
【００１４】
前記培土とは、野菜や花などの植物を栽培する為に、土に肥料や石灰、ピートモスなどの副資材などを混ぜ合わせた土をいう。前記培土としては、特に限定されないが、山土、田土、砂、礫、鹿沼土などの天然土壌、ピートモス、バーク堆肥、木粉などの有機物質、パーライト、バーミキュライトなどの土壌改良剤及びこれらの混合物を例示する。
【００１５】
前記アクリルアミド重合体とは、アクリルアミドを主成分とする重合体で、ポリアクリルアミド及びアクリルアミドと他の単量体との共重合体をいう。前記アクリルアミド重合体としては、特に限定されないが、アクリルアミドと共重合可能な単量体のモル含有率は３％未満が最も好ましい。発芽や苗の生育に影響がないからである。
【００１６】
前記腐植質火山灰土とは、火山口から噴出された火山砕屑物上に、長い年月を経て植物に起因する有機物が腐植化し、堆積した土壌（一般的に黒ボクという）をいう。前記腐植質火山灰土としては、特に限定されないが、北海道における千歳産、帯広産、標茶産、北見産、九州における志布志産、高原産等のものを例示する。
【００１７】
前記アクリルアミド重合体は、分子量５００万未満のものが最も好ましい。分子量５００万未満のアクリルアミド重合体は、発芽や苗の生育に影響がなく、しかも、機械移植に支障が生じない培土を、ｐＨ幅をより広く製造することができるからである。但し、分子量５００万未満のアクリルアミド重合体を用いると、移植に支障はないが、根鉢の上部が崩れやすくなるため、それを補うために、培土におけるアクリルアミド重合体及び腐植質火山灰土の含有率を後述する範囲内に設定することが好ましい。
【００１８】
前記培土における前記アクリルアミド重合体の含有率は、０．５〜１．５重量％である態様を例示し、好ましくは０．８〜１．０重量％である態様を例示する。前記アクリルアミド重合体の含有率の下限を０．５重量％にしているのは、これよりも小さいと、培土が十分に固化しないためである。また、同含有率の上限を１．５重量％にしているのは、これよりも大きいと培土が固化しすぎてしまい、苗箱に付着して機械で押し出せなくなったり、割れ易くなったり、根が生長し難くなったりするためである。また、前記アクリルアミド重合体の含有率の好ましい範囲を０．８〜１．０重量％としているのは、この範囲内であれば、培土が安定的に固化するからである。
【００１９】
前記培土における前記腐植質火山灰土の含有率は、３０〜６０重量％である態様を例示し、好ましくは４０〜５０重量％である態様を例示する。前記腐植質火山灰土の含有率の下限を３０重量％にしているのは、これよりも小さいと、培土が十分に固化しないためであり、同含有率の上限を６０重量％にしているのは、これよりも大きいと培土が固化しすぎてしまい、苗箱に付着して機械で押し出せなくなったり、割れ易くなったり、根が生長し難くなったりするためである。また、前記腐植質火山灰土の含有率の好ましい範囲を４０〜５０重量％としているのは、この範囲内であれば、培土が安定的に固化するからである。
【００２０】
以上のように構成された本例の機械移植用固化培土によれば、次の作用効果を得ることができる。
（１）培土製造時にアクリルアミド重合体と腐植質火山灰土を混合してなっているので、農家において播種作業前に、アクリルアミド重合体と培土基材を混合する必要がなく、省力化が図れ、更に、農家に起因する混合のばらつきがなくなる。
（２）分子量５００万未満のアクリルアミド重合体を固化剤として用いているので、機械移植に支障が生じないｐＨ幅が従来よりも広くなる。そのため、培土基剤のｐＨの管理が容易になり、培土基材の生産が容易になる。
（３）前記培土における前記アクリルアミド重合体の含有率を０．５〜１．５重量％とすることにより、培土を十分に固化させることができ、また、機械での押出し時に割れ難く、さらに、発芽や苗の生育への影響を少なくすることができる。
（４）前記培土における前記腐植質火山灰土の含有率を３０〜６０重量％とすることにより、培土を十分に固化させることができ、また、機械での押出し時に割れ難く、さらに、発芽や苗の生育への影響を少なくすることができる。
（５）分子量５００万未満のアクリルアミド重合体を固化剤として用い、前記培土における前記アクリルアミド重合体の含有率を０．５〜１．５重量％とし、前記培土における前記腐植質火山灰土の含有率を３０〜６０重量％としてなる固化培土によれば、固化形成された根鉢部は、十分水を含んでも機械移植に耐え得る機械強度を持つため、十分に水を含ませた状態で機械移植をすることができる。
【００２１】
なお、本発明は前記実施形態に限定されるものではなく、発明の趣旨から逸脱しない範囲で適宜変更して具体化することもできる。
【実施例１】
【００２２】
［高分子凝集剤の分子量と培土基材のｐＨとの比較試験］
【００２３】
（１）簡易固化試験での根鉢の固化性
【００２４】
（１−１）試験培土の作成
本試験の培土は、腐植質火山灰土としての千歳産黒土（以下、本試験において「黒土」という。）４５重量％を含む培土基材に、分子量５００万未満のアクリルアミド重合体１．０重量％及び分子量１０００万のアクリルアミド重合体１．０重量％をミキサーで混合した培土をそれぞれ作成した。また、培土のｐＨについては、炭酸石灰を使用して５．５〜７．０まで調整した。
【００２５】
（１−２）試験方法
直径１６ｍｍ、深さ２５ｍｍの４４８個のセル穴を有する苗箱である、みのる産業社製みのるポット４４８（商品名。以下、「苗箱（ポット４４８）」という。）のセル穴に、作成した培土を充填して、鎮圧機で鎮圧した後、同じ培土で覆土し、マス切りを行った。
次に、セル穴の底から水が浸み出るまで、水を上部潅注した後、乾燥器で５０℃、２４時間以上乾燥させた。
乾燥させた培土をセル穴から取り出して、蒸留水に１〜４時間浸漬させた後、キムタオル上に１０分間静置して培土の水分を吸水させた。
そして、根鉢の固化具合を指による触感で確認した。
【００２６】
（１−３）試験結果
【表１】
2016153468.tif 000002
分子量５００万未満のアクリルアミド重合体では、培土のｐＨ値が５．０〜６．５の範囲内では、根鉢は崩れることなく固化し、培土のｐＨ値が７．０では、根鉢の固化性は弱かった。
分子量１０００万のアクリルアミド重合体では、培土のｐＨ値が５．０〜６．０の範囲内では、根鉢は崩れることなく固化し、培土のｐＨ値が６．５〜７．０の範囲内では、根鉢の固化性は弱かった。
【００２７】
（２）育苗試験での根鉢の固化性
【００２８】
（２−１）試験培土の作成
本実施例１における前記（１−１）と同様に作成した。
【００２９】
（２−２）試験方法
苗箱（ポット４４８）に、播種機を使用して播種作業を行った。播種した苗箱を、６０日間育苗を行った後、みのる産業社製タマネギ移植機ＯＰＲＡ−４００（以下、本書において「押出し機」という。）を使用して根鉢付き苗（以下、本試験において「ポット苗」という。）を押出し、根鉢の固化状態や苗箱での苗残りを確認した。
なお、押出し機でポット苗を押出しするにあたり、押出しを行う３〜４時間前に、ジョロを使用して水を苗箱１枚当たり２リットル以上で上部潅水を行った。
【００３０】
（２−３）試験結果
【表２】
2016153468.tif 000003
分子量５００万未満のアクリルアミド重合体では、培土のｐＨ値が５．５〜６．５の範囲内では、根鉢の固化性は安定して、ポット苗を押し出すことができた。培土のｐＨ値が５．０あるいは７．０では、ポット苗の全壊や半壊もしくは苗残りが発生した。
分子量１０００万のアクリルアミド重合体では、培土のｐＨ値が５．５〜６．０の範囲内では、根鉢の固化性は安定して、ポット苗を押し出すことができた。培土のｐＨ値が５．０あるいは６．５〜７．０では、ポット苗の全壊や半壊もしくは苗残りが発生した。
このことから、分子量５００万未満のアクリルアミド重合体では、根鉢の固化性に対して培土のｐＨ値への適応幅が広いことが示された。
【実施例２】
【００３１】
［産地の異なる腐植質火山灰土を含む培土基材とｐＨとの比較試験］
【００３２】
（１）簡易固化試験での根鉢の固化性
【００３３】
（１−１）試験培土の作成
腐植質火山灰土（以下、本試験において「黒土」という。）を６地域（北海道における千歳、帯広、標茶、北見、九州における志布志、高原）から採取して使用した。これら６地域の黒土について、千歳産黒土（以下、本試験において「黒土Ａ」という。）、帯広産黒土（以下、本試験において「黒土Ｂ」という。）、標茶産黒土（以下、本試験において「黒土Ｃ」という。）、北見産黒土（以下、本試験において「黒土Ｄ」という。）、志布志産黒土（以下、本試験において「黒土Ｅ」という。）、高原産黒土（以下、本試験において「黒土Ｆ」という。）をそれぞれ３０〜６０重量％を含む培土基材（以下、本試験において黒土Ａ、黒土Ｂ、黒土Ｃ、黒土Ｄ、黒土Ｅ、黒土Ｆを含む培土をそれぞれ「培土Ａ」、「培土Ｂ」、「培土Ｃ」、「培土Ｄ」、「培土Ｅ」、「培土Ｆ」という。）と、分子量５００万未満のアクリルアミド重合体１．０重量％をミキサーで混合して培土を作成した。また、培土のｐＨについては、５．５〜６．０の間になるように調整した。
【００３４】
（１−２）試験方法
苗箱（ポット４４８）のセル穴（直径１６ｍｍ、深さ２５ｍｍ）に、作成した培土を充填して、鎮圧機で鎮圧した後、同じ培土で覆土し、マス切りを行った。
次に、セル穴の底から水が浸み出るまで、水を上部潅注した後、乾燥器で５０℃、２４時間以上乾燥させた。
乾燥させた培土をセル穴から取り出して、蒸留水に１〜４時間浸漬させた後、キムタオル上に１０分間静置して培土の水分を吸水させた。
そして、根鉢の固化具合を指による触感で確認した。
【００３５】
（１−３）試験結果
【表３】
2016153468.tif 000004
簡易の固化試験においては、産地が異なる黒土であっても、黒土の重量割合が３０％以上であれば、根鉢は崩れることなく固化した。
さらに、黒土の重量割合が４０％以上であれば、根鉢の固化性はより安定した。
【００３６】
（２）育苗試験での根鉢の固化性
【００３７】
（２−１）試験培土の作成
本実施例２における（１−１）と同様に作成した。
【００３８】
（２−２）試験方法
苗箱（ポット４４８）に、播種機を使用して播種作業を行った。播種した苗箱を、６０日間育苗を行った後、前記押出し機を使用して根鉢付き苗（以下、本試験において「ポット苗」という。）を押出し、根鉢の固化状態や苗箱での苗残りを確認した。
なお、押出し機でポット苗を押出しするにあたり、押出しを行う３〜４時間前に、ジョロを使用して水を苗箱１枚当たり２リットル以上で上部潅水を行った。
【００３９】
（２−３）試験結果
【表４】
2016153468.tif 000005
いずれの黒土であっても、黒土の重量割合が３０％では、全壊や半壊のポット苗が発生した。
黒土の重量割合が４０〜５０％では、根鉢の固化性は安定し、問題なくポット苗を押出すことができた。
黒土の重量割合が６０％では、押出し抵抗が強く、押出しできないポット苗が発生した。
【実施例３】
【００４０】
［アクリルアミド重合体の添加割合試験］
【００４１】
（１）簡易固化試験での根鉢の固化性
【００４２】
（１−１）試験培土の作成
腐植質火山灰土としての千歳産黒土（以下、本試験において「黒土」という。）４５重量％を含む培土基材と、分子量５００万未満のアクリルアミド重合体０．５〜１．５重量％をミキサーで混合して培土を作成した。
培土のｐＨについては、５．５〜６．０の間になるように調整した。
【００４３】
（１−２）試験方法
苗箱（ポット４４８）のセル穴（直径１６ｍｍ、深さ２５ｍｍ）に、作成した培土を充填して、鎮圧機で鎮圧した後、同じ培土で覆土し、マス切りを行った。
次に、セル穴の底から水が浸み出るまで、水を上部潅注した後、乾燥器で５０℃、２４時間以上乾燥させた。
乾燥させた培土をセル穴から取り出して、蒸留水に１〜４時間浸漬させた後、キムタオル上に１０分間静置して培土の水分を吸水させた。
そして、根鉢の固化具合を指による触感で確認した。
比較対象として、比較例１（住化農業資材社製みのるポット専用タマネギ加水不要培土（商品名））及び比較例２（片倉チッカリン社製オニオンエース（商品名））も同じ方法で実施した。
【００４４】
（１−３）試験結果
【表５】
2016153468.tif 000006
簡易の固化試験においては、アクリルアミド重合体の重量割合が０．５〜０．７％では、根鉢の固化性はやや弱いものの培土は固化した。
さらに、アクリルアミド重合体の重量割合が０．８％以上であれば、根鉢の固化性はより安定した。
【００４５】
（２）育苗試験での根鉢の固化性
【００４６】
（２−１）試験培土の作成
本実施例３における（１−１）と同様に作成した。
【００４７】
（２−２）試験方法
苗箱（ポット４４８）に、播種機を使用して播種作業を行った。播種した苗箱を、６０日間育苗を行った後、前記押出し機を使用して根鉢付き苗（以下、本試験において「ポット苗」という。）を押出し、根鉢の固化状態や苗箱での苗残りを確認した。
なお、押出し機でポット苗を押出しするにあたり、押出しを行う３〜４時間前に、ジョロを使用して水を苗箱１枚当たり２リットル以上で上部潅水を行った。
比較対象として、前記比較例１及び前記比較例２も同じ方法で実施した。
【００４８】
（２−３）試験結果
【表６】
2016153468.tif 000007
アクリルアミド重合体の重量割合が０．７％以下では、全壊や半壊のポット苗が発生した。
アクリルアミド重合体の重量割合が０．８〜１．０％では、根鉢崩れや苗残りもなくポット苗を押出しすることができた。
アクリルアミドの重合体の重量割合が１．３％以上では、押出し抵抗が強く、ポット苗を押出しできないものが発生した。
【実施例４】
【００４９】
［腐植質火山灰土の添加割合試験］
【００５０】
（１）簡易固化試験での根鉢の固化性
【００５１】
（１−１）試験培土の作成
腐植質火山灰土としての千歳産黒土（以下、本試験において「黒土」という。）３０〜６０重量％を含む培土基材と、分子量５００万未満アクリルアミド重合体１．０重量％をミキサーで混合して培土を作成した。
培土のｐＨについては、５．５〜６．０の間になるように調整した。
【００５２】
（１−２）試験方法
苗箱（ポット４４８）のセル穴（直径１６ｍｍ、深さ２５ｍｍ）に、作成した培土を充填して、鎮圧機で鎮圧した後、同じ培土で覆土し、マス切りを行った。
次に、セル穴の底から水が浸み出るまで、水を上部潅注した後、乾燥器で５０℃、２４時間以上乾燥させた。
乾燥させた培土をセル穴から取り出して、蒸留水に１〜４時間浸漬させた後、キムタオル上に１０分間静置して培土の水分を吸水させた。
そして、根鉢の固化具合を指による触感で確認した。
比較対象として、前記比較例１及び前記比較例２も同じ方法で実施した。
【００５３】
（１−３）試験結果
【表７】
2016153468.tif 000008
簡易の固化試験においては、黒土の重量割合が３０％以上であれば、根鉢は崩れることなく培土は固化した。
さらに、黒土の重量割合が４０％以上であれば、根鉢の固化性はより安定した。
【００５４】
（２）育苗試験での根鉢の固化性
【００５５】
（２−１）試験培土の作成
本実施例４における（１−１）と同様に作成した。
【００５６】
（２−２）試験方法
苗箱（ポット４４８）に、播種機を使用して播種作業を行った。播種した苗箱を、６０日間育苗を行った後、前記押出し機を使用して根鉢付き苗（以下、本試験において「ポット苗」という。）を押出し、根鉢の固化状態や苗箱での苗残りを確認した。
なお、押出し機でポット苗を押出しするにあたり、押出しを行う３〜４時間前に、ジョロを使用して水を苗箱１枚当たり２リットル以上で上部潅水を行った。
比較対象として、前記比較例１及び前記比較例２も同じ方法で実施した。
【００５７】
（２−３）試験結果
【表８】
2016153468.tif 000009
黒土の重量割合が３０％では、全壊や半壊のポット苗が発生した。
黒土の重量割合が４０〜５０％では、根鉢の固化性はより安定し、問題なくポット苗を押出しすることができた。
黒土の重量割合が６０％では、押出し抵抗が強く、ポット苗を押出しできないものが発生した。
比較対象の前記比較例１と前記比較例２では、根鉢が柔らかく、突き抜けによる苗残りが発生した。
【実施例５】
【００５８】
［比較例との比較試験］
【００５９】
（１）簡易固化試験での根鉢の固化性
【００６０】
（１−１）試験培土の作成
腐植質火山灰土としての千歳産黒土（以下、本試験において「黒土」という。）４５重量％を含む培土基材と、分子量５００万未満のアクリルアミド重合体１．０重量％をミキサーで混合して培土を作成した。
培土のｐＨについては、５．５〜６．０の間になるように調整した。
【００６１】
（１−２）試験方法
苗箱（ポット４４８）のセル穴（直径１６ｍｍ、深さ２５ｍｍ）に、作成した培土を充填して、鎮圧機で鎮圧した後、同じ培土で覆土し、マス切りを行った。
次に、セル穴の底から水が浸み出るまで、水を上部潅注した後、乾燥器で５０℃、２４時間以上乾燥させた。
乾燥させた培土をセル穴から取り出して、蒸留水に１〜４時間浸漬させた後、キムタオル上に１０分間静置して培土の水分を吸水させた。
そして、根鉢の固化具合を指による触感で確認した。
比較対象として、前記比較例１及び前記比較例２も同じ方法で実施した。
【００６２】
（１−３）試験結果
【表９】
2016153468.tif 000010
試験培土は、前記比較例１や前記比較例２よりも、水分を多く含ませた状態であっても、根鉢の固化強度は固かった。
【００６３】
（２）育苗試験での根鉢の固化性
【００６４】
（２−１）試験培土の作成
本実施例５における（１−１）と同様に作成した。
【００６５】
（２−２）試験方法
苗箱（ポット４４８）に、播種機を使用して播種作業を行った。播種した苗箱を、６０日間育苗を行った後、前記押出し機を使用して根鉢付き苗（以下、本試験において「ポット苗」という。）を押出し、根鉢の固化状態や苗箱での苗残りを確認した。
なお、押出し機でポット苗を押出しするにあたり、押出しを行う３〜４時間前に、ジョロを使用して水を苗箱１枚当たり２リットル以上で上部潅水を行った。
比較対象として、前記比較例１及び前記比較例２も同じ方法で実施した。
【００６６】
（２−３）試験結果
【表１０】
2016153468.tif 000011
試験培土では、比較対象である前記比較例１や前記比較例２に対して、根鉢が水分を多く含んでいても、全壊や半壊もしくは苗残りもなくポット苗を押し出せた。